(57)【要約】【課題】各利用者等による個々の登録作業を不要とするとともに、配信対象となる情報を限定すること無く、各利用者がＷＷＷサーバから定期的な取得を望む種々の情報についての自動配信を可能とするシステムを提供する。【解決手段】情報配信システム１０を構成するＷＷＷサーバ１１１に、クライアント端末からのアクセスについてアクセス履歴を取得する履歴取得プログラム２１３を備えるとともに、データベースサーバ１１２のデータベース制御部２２０に履歴取得プログラム２１３の取得したアクセス履歴を各データベース２２５〜２２７に格納する情報蓄積プログラム２２１を備え、アクセス履歴に基づき各データベースに格納された情報を配信設定情報として、クライアント端末に対し情報配信を行う。【選択図】　　　図２
2004139381.tif 000002
【特許請求の範囲】
【請求項１】
情報配信時刻、情報配信先及び配信情報を取得するアクセス先の各情報を格納した配信設定情報格納手段と、前記配信設定情報格納手段に格納された前記各情報に基づき情報配信を行う情報配信装置を備えた情報配信システムであって、
クライアント端末からのアクセスを検出し、各アクセス毎にクライアント識別情報、アクセス先及びアクセス時刻を含むアクセス情報を取得するアクセス情報取得手段と、
前記アクセス情報取得手段が取得したアクセス情報に基づき同一クライアント端末による同一のアクセス先へのアクセス回数を判定し、予め設定された所定のアクセス回数となったときに、情報配信先としてのクライアント端末、配信情報を取得するアクセス先及び前記アクセス時刻に応じた情報配信時刻を含む各情報を配信設定情報として前記配信設定情報格納手段に登録する配信設定情報登録手段と、
前記配信情報格納手段に登録された情報配信時刻に、前記アクセス先の情報を取得して前記情報配信先としてのクライアント端末に配信する情報配信手段と
を備えることを特徴とする情報配信システム。
【請求項２】
前記配信設定情報格納手段は、配信設定情報として予め設定された配信期間を含むものとし、
前記情報配信装置は、前記配信期間を経過した際に、対応する配信設定情報を削除する設定情報削除手段をさらに備えることを特徴とする請求項１に記載の情報配信システム。
【請求項３】
前記設定情報削除手段は、情報を配信したクライアント端末から返信があった場合に、対応する配信設定情報を削除する手段をさらに備えることを特徴とする請求項２に記載の情報配信システム。
【請求項４】
前記情報配信サーバは、クライアント端末からの要求に応じ、当該クライアント端末を情報配信先として設定している配信設定情報の一覧を前記配信設定情報格納手段から取得し、前記クライアント端末に表示させる配信設定情報表示手段をさらに備えることを特徴とする請求項１〜３のいずれかに記載の情報配信システム。
【請求項５】
前記配信設定情報表示手段は、前記配信設定情報の一覧を表示させた前記クライアント端末からの要求に応じて、前記一覧から選択された配信設定情報に含まれる配信期間の変更を行う手段をさらに備えることを特徴とする請求項４に記載の情報配信システム。
【請求項６】
前記配信設定情報表示手段は、前記配信設定情報の一覧を表示させた前記クライアント端末からの要求に応じて、前記一覧から選択された配信設定情報について前記配信設定情報削除手段に対し削除指示を送る手段をさらに備え、
前記配信設定情報削除手段は、前記削除指示に応じて前記選択された配信設定情報の削除を行う手段をさらに備えることを特徴とする請求項４又は５に記載の情報配信システム。
【発明の詳細な説明】
【０００１】
【発明の属する技術分野】
本発明は、ＷＷＷ（Ｗｏｒｌｄ　Ｗｉｄｅ　Ｗｅｂ）サーバから、所定時刻に各利用者の端末に対して、所定のアクセス先の情報を自動配信するシステムに関する。
【０００２】
【従来の技術】
従来の情報配信システムとしては、利用者端末内のＪＡＶＡ（サンマイクロシステムズ社の登録商標）仮想マシンが指定時間毎にＷＷＷサーバに対し予め指定されたＵＲＬのコンテンツの取得指示を送信し、ＷＷＷサーバからコンテンツの配信を受けるシステム（例えば、特許文献１参照。）や、特定のクライアント端末に対する広告等の情報配信を仲介する仲介サーバを備えたシステム（例えば、特許文献２参照。）が公知となっている。
【０００３】
【特許文献１】
特開２００１−２８２６７２号公報（第３−４頁，図１）
【特許文献２】
特開２００１−２８２６８４号公報（第４−６頁，図６−８，図１３−１５）
【０００４】
【発明が解決しようとする課題】
しかし、前記特許文献１，２のシステムでは、ユーザ又は情報提供者に、配信を希望するコンテンツ又は配信先等を事前に登録させることが必要となり、配信を希望するコンテンツが増えた場合には登録作業が煩雑となっていた。
また、前記特許文献１，２のシステムでは、情報提供者が予め配信を行うコンテンツとして設定したもののみが対象となっていた。さらに、各ＷＷＷサーバに備えられた検索エンジンによるキーワード検索の結果等、特定のコンテンツでない情報については、配信を行うことができなかった。従って、配信の対象外のコンテンツや、特定のコンテンツでないキーワード検索の結果等については、利用者が定期的に情報の取得を望む場合であっても、その都度、各利用者により利用者端末を用いてＷＷＷサーバにアクセスして情報を取得することが必要となっていた。
【０００５】
本発明は、上記課題を解決するためのものであり、利用者が配信を希望する情報をクライアント端末に対して定期的に配信するシステムであって、各利用者等による配信希望コンテンツ等の登録作業を不要とするとともに、配信対象となる情報を限定すること無く、各利用者がＷＷＷサーバから定期的な取得を望む種々の情報についての配信を可能とするシステムを提供することを目的とする。
【０００６】
【課題を解決するための手段】
前記課題を解決するため本発明は、情報配信時刻、情報配信先及び配信情報を取得するアクセス先の各情報を格納した配信設定情報格納手段と、前記配信設定情報格納手段に格納された前記各情報に基づき情報配信を行う情報配信装置を備えた情報配信システムであって、クライアント端末からのアクセスを検出し、各アクセス毎にクライアント識別情報、アクセス先及びアクセス時刻を含むアクセス情報を取得するアクセス情報取得手段と、前記アクセス情報取得手段が取得したアクセス情報に基づき同一クライアント端末による同一のアクセス先へのアクセス回数を判定し、予め設定された所定のアクセス回数となったときに、情報配信先としてのクライアント端末，配信情報を取得するアクセス先及び前記アクセス時刻に応じた情報配信時刻を含む各情報を配信設定情報として前記配信設定情報格納手段に登録する配信設定情報登録手段と、前記配信情報格納手段に登録された情報配信時刻に、前記アクセス先の情報を取得して前記情報配信先としてのクライアント端末に配信する情報配信手段とを備えることを特徴とする。
また、前記配信設定情報格納手段は、配信設定情報として予め設定された配信期間を含むものとし、前記情報配信装置は、前記配信期間を経過した際に、対応する配信設定情報を削除する設定情報削除手段をさらに備えることを特徴とする。
また、前記設定情報削除手段は、情報を配信したクライアント端末から返信があった場合に、対応する配信設定情報を削除する手段をさらに備えることを特徴とする。
【０００７】
また、前記情報配信サーバは、クライアント端末からの要求に応じ、当該クライアント端末を情報配信先として設定している配信設定情報の一覧を前記配信設定情報格納手段から取得し、前記クライアント端末に表示させる配信設定情報表示手段をさらに備えることを特徴とする。
また、前記配信設定情報表示手段は、前記配信設定情報の一覧を表示させた前記クライアント端末からの要求に応じて、前記一覧から選択された配信設定情報に含まれる配信期間の変更を行う手段をさらに備えることを特徴とする。
また、前記配信設定情報表示手段は、前記配信設定情報の一覧を表示させた前記クライアント端末からの要求に応じて、前記一覧から選択された配信設定情報について前記配信設定情報削除手段に対し削除指示を送る手段をさらに備え、前記配信設定情報削除手段は、前記削除指示に応じて前記選択された配信設定情報の削除を行う手段をさらに備えることを特徴とする。
【０００８】
【発明の実施の形態】
以下、本発明の実施の形態について図面に基づき説明する。
図１は、本発明の一実施の形態に係る情報配信システムの概略構成を示す図である。
本実施の形態に係る情報配信システム１１０は、ネットワーク１２０及び基地局１３０を介して各クライアント端末としての携帯電話機１４０に接続されている。
情報配信システム１１０は、情報配信装置としてＷＷＷサーバ１１１，データベースサーバ１１２，メールサーバ１１３の各サーバを備えている。
【０００９】
図２は、情報配信システム１１０に備えられた各サーバ１１１〜１１３の概略構成を示すブロック図である。
ＷＷＷサーバ１１１は、ＷＷＷサーバ１１１上で提供されているコンテンツ２１１と、携帯電話機１４０からのアクセス情報としてのアクセス履歴の取得処理を行う履歴取得プログラム２１３と、携帯電話機１４０に対する配信情報を取得する情報取得プログラム２１２とを備える。
データベースサーバ１１２は、データベースサーバ１１２内の各データベースのデータベース操作等を行うデータベース制御部２２０を備える。データベースサーバ制御部２２０は、後述する情報蓄積プログラム２２１と、監視プログラム２２２と、情報参照プログラム２２３と、情報削除プログラム２２４とを有する。データベースサーバ１１２内のデータベースとしては、ユーザ情報データベース２２５と、アクセス先情報データベース２２６と、アクセス時刻情報データベース２２７とを有する。
メールサーバ１１３は、利用者端末に配信情報を送信するための電子メールを作成するメール作成プログラム２３１と、作成された電子メールを利用者端末に送信するメール送信プログラム２３２とを備える。
ＷＷＷサーバ１１１，データベースサーバ１１２，メールサーバ１１３はイントラネット等のネットワークで接続されている。
【００１０】
情報蓄積プログラム２２１は、ＷＷＷサーバ１１１の履歴取得プログラム２１２が取得したアクセス履歴に含まれる各情報を受信して各データベース２２５〜２２７への格納処理を行う。
監視プログラム２２２は、現在時刻を監視し、現在時刻が携帯電話機１４０への情報配信時刻又は各配信情報についての配信期間を経過したか否かの判定を行う。情報配信時刻を経過した場合、各データベース２２５〜２２７に登録された配信設定情報を含む配信情報取得指示をＷＷＷサーバ１１１に送信する。また、各配信情報についての配信期間を経過した場合に情報削除プログラム２２４に対し、対応する配信設定情報の削除指示を行う。
情報参照プログラム２２３は、携帯電話機１４０の操作に応じて、携帯電話機１４０に配信設定情報一覧を表示させ、配信設定情報管理処理として配信期間変更，配信設定情報削除指示の各処理を行う。配信期間変更処理では、携帯電話機１４０の操作により選択された配信設定情報について、携帯電話機１４０により送信された期間に基づきアクセス時刻情報データベース２２７の配信期間の変更処理を行う。配信設定情報削除指示処理では、携帯電話機１４０の操作により選択された配信設定情報について、情報削除プログラム２２４に対し削除指示を行う。
情報削除プログラム２２４は、監視プログラム２２２又は情報参照プログラム２２３からの削除指示に応じて配信設定情報の削除を行う。
【００１１】
図３は、ユーザ情報データベース２２５のデータ構造の一例を示す図である。
ユーザ情報データベース２２５は、配信情報の提供を受ける各利用者についてのユーザ登録情報を格納しており、各利用者を一意に識別するユーザＩＤ３０１と、各利用者の個人情報としての住所３０２，氏名３０３，電話番号３０４と、情報配信先としてのメールアドレス３０５と、設定アクセス回数３０６との各情報を有する。設定アクセス回数３０６には、情報配信を行うまでに必要なアクセス回数として予め設定された回数を格納する。
【００１２】
図４は、アクセス先情報データベース２２６のデータ構造の一例を示す図である。
アクセス先情報データベース２２６は、携帯電話機１４０によるＷＷＷサーバ１１１を介したアクセス履歴に含まれるアクセス先に関する情報を格納するものであり、アクセス先を識別するアクセス先ＩＤ４０１と、各利用者を識別するユーザＩＤ４０２と、アクセス先４０３と、同一のアクセス先へのアクセス回数４０４の各情報を有している。アクセス先ＩＤ４０１は、アクセス履歴に含まれるアクセス先等の情報を格納する際に生成される。アクセス先４０３には、クライアント端末がアクセスしたＵＲＬ、ＷＷＷサーバ上のコンテンツ名、検索エンジンで使用したキーワード等が格納される。この場合、複数のキーワードを使用した場合には、「コンピュータ＊ウイルス」のように、演算子を用いて検索キーワードを格納する。アクセス回数４０４には同一利用者による同一アクセス先へのアクセス回数をカウントしたものが格納される。但し、後述するように同一時刻のアクセスと判定した場合には、当該アクセスについてのカウントは行わない。
【００１３】
図５は、アクセス時刻情報データベース２２７のデータ構造の一例を示す図である。
アクセス時刻情報データベース２２７は、前記アクセス履歴に含まれるアクセス時刻等に関する情報を格納しており、各アクセス時刻を一意に識別する時刻ＩＤ５０１と、各利用者を識別するユーザＩＤ５０２と、アクセス先を示すアクセス先ＩＤ５０３と、アクセス時刻を示す日付５０４，曜日５０５，時刻５０６と、配信識別フラグ５０７と、前記各情報について設定された配信期間５０８の各情報を有している。
時刻ＩＤ５０１は、アクセス履歴に含まれるアクセス時刻を格納する際に生成される。
日付５０３は１〜１２までの月と１〜３１までの日で管理している。曜日５０４は日曜日を１として、１〜７の数値により管理している。時刻５０５は０〜２４までの時間と０又は３０の分で管理し、０分から２９分の間にアクセスがあった場合には「０」を、３０分から５９分の間にアクセスがあった場合には「３０」を格納する。また、同一時間内において、０分〜２９分の間又は３０分〜５９分の間に同一の利用者から複数回のアクセスがあった場合には、同一時刻のアクセスとして１つのレコードのみを格納する。
配信識別フラグ５０７は、情報配信を行う時刻として、監視プログラム２２２による監視を行うか否かを識別するものであり、アクセス先情報データベース２２６のアクセス回数４０４がユーザ情報データベース２２５のアクセス回数３０６に達した場合には、アクセス時刻情報データベースに格納するアクセス時刻を監視対象として「１」を格納し、それ以外の場合には「０」を格納する。
配信期間５０８は、配信識別フラグ５０７に「１」が格納されている情報について、日付４０３に格納された日付から情報配信を行う期間として予め設定された日数が格納されている。なお、配信期間は、後述する配信期間変更処理により変更が可能となっている。
【００１４】
以上の構成により情報配信を行う方法について説明する。
本実施の形態に係る情報配信システム１１０では、まず、携帯電話機１４０のアクセス履歴に基づき情報配信の設定を行う。
図６は、情報配信システム１１０により特定のアクセス先について情報配信の設定がされるまでの処理手順を示すフローチャートである。
情報配信システム１１０は、予めユーザ登録を行っている利用者の携帯電話機１４０からＷＷＷサーバ１１１の各情報へのアクセスをユーザＩＤに基づき監視し、携帯電話機１４０からのアクセスを検出すると（ステップ６０１）、ＷＷＷサーバ１１１の履歴取得プログラム２１２は、ユーザＩＤ，アクセス先，アクセス時刻を含むアクセス情報を取得してデータベースサーバ１１２に送信する（ステップ６０２）。データベースサーバ１１２の情報蓄積プログラム２２１は、アクセス先情報データベース２２６及びアクセス時刻情報データベース２２７を参照し、前述した同一時刻のアクセスか否かを判定する（ステップ６０３）。同一時刻のアクセスでないと判定した場合、情報蓄積プログラム２２１は、ＷＷＷサーバ１１１から送信されたアクセス情報に基づき、利用者ＩＤ，アクセス先，アクセス時刻の各情報をアクセス先情報データベース２２６及びアクセス時刻情報データベース２２７に格納し（ステップ６０４）、アクセス先情報データベース２２６のアクセス回数４０４をカウントアップする（ステップ６０５）。情報蓄積プログラム２２１は、アクセス先情報データベース２２６のアクセス回数４０４の数値がユーザ情報データベース２２７の設定アクセス回数３０６の数値に達したか否かを判定し（ステップ６０６）、アクセス回数３０６に達した場合には、アクセス時刻情報データベース２２７の配信識別フラグ５０７に「１」を格納して設定処理を終了する（ステップ６０６）。
一方、ステップ６０３において同一時刻のアクセスと判定された場合には、各データベース２２６，２２７への情報の格納は行わずにアクセスの検出を繰り返す。また、ステップ６０６において、アクセス回数４０４の数値がアクセス回数３０６数値未満の場合には、配信識別フラグ５０７に「０」を格納して（ステップ６０７）、アクセスの検出を繰り返す。
【００１５】
以上のようにアクセス時刻情報データベース２２７の配信識別フラグ５０７に「１」を格納した情報に関して、アクセス先情報データベース２２６及びアクセス時刻情報データベース２２７に格納した情報を配信設定情報として管理し、以下の情報配信処理を行う。
図７は、情報配信システム１１０により、各配信設定情報に基づき情報配信を行う処理手順を示すフローチャートである。
データベースサーバ１１２の監視プログラム２２２は、現在時刻の監視を行い（ステップ７０１）、アクセス時刻情報データベース２２７の配信識別フラグ５０７が「１」のレコードについて、日付５０４から起算して配信期間５０８の日数を経過していないか否かを判定し（ステップ７０２）、配信期間未経過の場合には、時刻５０６が経過しているか否かを判定する（ステップ７０３）。当該判定の結果、時刻５０６が経過している場合には、各データベース２２６，２２７に格納された配信設定情報を取得し（ステップ７０４）、ＷＷＷサーバ１１１に配信設定情報を送信する。
ＷＷＷサーバ１１１の情報取得プログラム２１３は、データベースサーバ１１２から受信した配信設定情報に含まれているアクセス先から配信情報を取得し（ステップ７０５）、当該配信情報を含むメール送信指示をメールサーバ１１３に送信する。
メールサーバ１１３のメール作成プログラム２３１は、受信した配信情報を含む電子メールを作成し、メール送信プログラム２３２は作成した電子メールを配信設定情報に含まれるメールアドレスに送信する（ステップ７０６）。メールサーバ１１３からの電子メールを受信した携帯電話機１４０では、電子メールに含まれる配信情報が表示される。例えば、検索結果を送信する場合には電子メールに、「ＸＸＸ様　ＹＹ年ＭＭ月ＤＤ日ＨＨ時ＭＭ分の『コンピュータ＊ウイルス』の検索結果をお送り致します。１．・・・。２．・・・。３．・・・。」のようなメッセージを作成する。
この際、携帯電話機１４０の利用者が表示された情報の配信を停止したい場合には、携帯電話機１４０より返信メールが送信される。
返信メールを受信した場合（ステップ７０７）、データベースサーバの情報削除プログラム２２４が対応する配信設定情報を各データベース２２６，２２７から削除する（ステップ７０８）。
ステップ７０２で配信期間が経過していると判定した場合には、監視プログラム２２２は当該配信設定情報の削除指示を情報削除プログラム２２４に送り、情報削除プログラム２２２は対応する配信設定情報を削除する（ステップ７０８）。
ステップ７０３でアクセス時刻が経過していないと判定した場合、または、ステップ７０７で返信メールの受信が無いと判定した場合には、監視プログラム２２２は現在時刻の監視状態を継続する。
以上の監視処理及び情報配信処理を全ての配信設定情報について行う。
【００１６】
さらに、本実施の形態に係る情報配信システム１１０は、配信設定情報の管理として携帯電話機１４０からの指示に応じて配信期間の変更，配信設定情報の削除を行う。
図８は、携帯電話機１４０からの指示に応じた配信設定情報の管理処理手順を示すフローチャートであり、図９は本処理において携帯電話機１４０に表示される各処理画面を示す図である。処理画面９０１では選択可能なメニューが表示され、処理画面９０２〜９０６では各配信設定情報一覧としてアクセス時刻，アクセス先，配信期間の各情報が表示される。
携帯電話機１４０からの管理メニュー画面表示要求を受信すると（ステップ８０１）、データベースサーバ１１２の情報参照プログラム２２３は携帯電話機１４０に管理メニュー画面９０１を表示させる（ステップ８０２）。
携帯電話機１４０の操作に応じて管理メニューの選択を受付け（ステップ８０３）、当該選択が設定情報の一覧表示であれば（ステップ８０４）、情報参照プログラム２２３が各データベース２２６，２２７から配信設定情報を取得して携帯電話機１４０に一覧表示画面９０２を表示させる（ステップ８０５）。
前記管理メニューの選択が配信期間の変更であれば（ステップ８０６）、情報参照プログラム２２３が各データベースから配信設定情報を取得して携帯電話機１４０に一覧表示画面９０３を表示させる（ステップ８０７）。情報参照プログラム２２３は、携帯電話機１４０の操作に応じて配信期間の変更を行う配信設定情報の選択及び期間の変更を受付け（ステップ８０８）、選択された配信設定情報について配信期間の変更を行い（ステップ８０９）、携帯電話機１４０に変更結果表示画面９０４を表示させる。
前記管理メニューの選択が配信設定情報の削除であれば（ステップ８１０）、情報参照プログラム２２３が各データベースから配信設定情報を取得して携帯電話機１４０に一覧表示画面９０５を表示させる（ステップ８１１）。情報参照プログラム２２３は、携帯電話機１４０の操作に応じて配信期間の変更を行う配信設定情報の選択を受付け（ステップ８１２）、情報削除プログラム２２４に対し、選択された配信設定情報についての削除指示を行う。情報削除プログラムは、削除指示のあった配信設定情報の削除を行い（ステップ８１３）、携帯電話機１４０に削除結果表示画面９０６を表示させる。
【００１７】
以上のように、本実施の形態に係る情報配信システムでは、ＷＷＷサーバ１１１に各携帯電話機１４０からのアクセス履歴を取得する履歴取得プログラム２１２を備えるとともに、データベースサーバ１１２に前記アクセス履歴を各データベース２２５〜２２７に格納する情報蓄積プログラム２２１を備え、各データベースに格納された前記アクセス履歴に基づく配信設定情報により情報配信を行うこととしたので、各利用者等による個々の配信情報についての登録作業を不要とすることが可能となる。また、アクセス履歴に含まれるアクセス先から配信情報を取得する情報取得プログラム２１３を備えたので、配信対象となる情報を限定すること無く、各利用者がＷＷＷサーバから定期的な取得を望む種々の情報についての配信が可能となる。
【００１８】
また、情報蓄積プログラム２２１により、同一の利用者から所定回数アクセスのあったアクセス先についてのみ配信設定情報として設定することとしたので、各利用者が定期的な取得を望む情報についてのみ配信を行うことができる。
また、監視プログラム２２２により、予め設定された配信期間を経過した配信設定情報については、削除指示を行い、情報の配信をしないこととしたので、配信の不要な情報について利用者は特別な処理を行うことなく所定期間経過後に配信の停止を行うことができる。
また、情報消去プログラム２２４により、メールサーバ１１３から送信した電子メールに対する返信メールを受信した場合に、対応する配信設定情報の削除を行うこととしたので、利用者は簡易な操作により情報配信の停止を行うことができる。
【００１９】
また、配信設定情報管理処理として、携帯電話機１４０からの要求に応じて、配信設定情報の一覧表示，配信期間の変更，配信設定情報の削除の各処理を行うこととしたので、利用者による配信設定情報の管理が容易となり、簡易な操作により必要な配信設定情報のみを残すことが可能となる。
【００２０】
なお、前記実施の形態では、クライアント端末として携帯電話機を用いた例を説明しているが、これに限られるものではなく、他の携帯端末又はパーソナルコンピュータ等、ＷＷＷサーバに対しアクセスが可能で、情報配信を受けることが可能な端末であればよい。
また、前記実施の形態では、配信設定情報に含まれる時刻に基づき情報の配信を毎日行うこととしているが、各利用者の指定に応じて、日付（日）又は曜日に基づき情報配信を行う間隔を月毎又は週毎等としてもよい。また、同一利用者による同一アクセス先についての複数のアクセス時刻を参照し、利用者による過去のアクセスの間隔に応じて情報配信を行う間隔を設定することとしてもよい。例えば、毎週月曜日にアクセスがされていた場合には、同様に月曜日毎の配信を設定する。これにより、利用者の都合に合った情報配信を行うことができる。
また、情報配信装置の構成として、各サーバ及び当該各サーバを構成するプログラムについては、前記実施の形態に説明したものに限られるものではなく、同様の機能を実現することが可能であれば各サーバ又は各プログラムを結合又は分割して構成することとしてもよい。
【００２１】
【発明の効果】
以上のように、本発明によれば、利用者端末からのアクセス履歴に基づき、配信先の設定等を行う情報配信装置を備えたので、各利用者等による個々の登録作業を不要とするとともに、配信対象となる情報を限定すること無く、各利用者がＷＷＷサーバから定期的な取得を望む種々の情報についての自動配信が可能となる。
【図面の簡単な説明】
【図１】本発明の一実施の形態に係る情報配信システムの概略構成を示すブロック図である。
【図２】情報配信システムを構成する各サーバの概略構成を示すブロック図である。
【図３】ユーザ情報データベースのデータ構造の一例を示す図である。
【図４】アクセス先情報データベースのデータ構造の一例を示す図である。
【図５】アクセス時刻情報データベースのデータ構造の一例を示す図である。
【図６】本発明の一実施の形態に係る情報配信システムによる配信情報の設定処理手順を示すフローチャートである。
【図７】本発明の一実施の形態に係る情報配信システムによる情報配信処理手順を示すフローチャートである。
【図８】本発明の一実施の形態に係る情報配信システムによる配信設定情報の管理処理手順を示すフローチャートである。
【図９】配信設定情報管理処理画面の一例を示す図である。
【符号の説明】
１１０　情報配信システム、１１１　ＷＷＷサーバ、１１２　データベースサーバ、１１３　メールサーバ、１２０　ネットワーク、１３０　基地局、１４０利用者端末、２１１　コンテンツ、２１２　履歴取得プログラム、２１３　情報取得プログラム、２２０　データベース制御部、２２１　情報蓄積プログラム、２２２　監視プログラム、２２３　情報参照プログラム、２２４　情報削除プログラム、２２５　ユーザ情報データベース、２２６　アクセス先情報データベース、２２７　アクセス時刻情報データベース、２３１　メール作成プログラム、２３２　メール送信プログラム。
【図１】
2004139381.tif 000003
【図２】
2004139381.tif 000004
【図３】
2004139381.tif 000005
【図４】
2004139381.tif 000006
【図５】
2004139381.tif 000007
【図６】
2004139381.tif 000008
【図７】
2004139381.tif 000009
【図８】
2004139381.tif 000010
【図９】
2004139381.tif 000011